(57)【要約】【課題】天井材よりも外枠を後付けするようにした天井点検口において、内枠に対し蓋体を取り付けるためにＬ型のアングルを用意する必要がなく、そしてアングルを内枠に取り付ける手間も不要となり、構成簡単でコストダウンを図ることができる天井点検口を提供する。【解決手段】天井材４の開口部４ａに嵌められて建物側に固定される外枠１と、この外枠１の内部空間を開閉する内枠５とを備え、天井材４よりも外枠１を後付けするようにした天井点検口において、内枠５の上側立ち上がり板部１２にボード材２５からなる蓋体を取り付けるために外枠１とは逆方向に水平に延びるように蓋体支持板部１３が一体に連設されてなり、内枠５の下方より蓋体を構成するボード材２５を嵌め込んでボード材２５を前記蓋体支持板部１３に支持するように構成した。【選択図】図１
2009249957.tif 000002
【特許請求の範囲】
【請求項１】
天井材の開口部に嵌められて建物側に固定される外枠と、この外枠の内部空間を開閉する内枠とを備え、天井材よりも外枠を後付けするようにした天井点検口において、内枠の立ち上がり板部にボード材からなる蓋体を取り付けるために外枠とは逆方向に水平に延びるように蓋体支持板部が一体に連設されてなり、内枠の下方より蓋体を構成するボード材を嵌め込んでボード材を前記蓋体支持板部に支持するように構成したことを特徴とする天井点検口。
【請求項２】
厚みの薄い板部と厚みの厚い板部とを下面がフラットな面一状となるように連設して作られてなるスペーサーを備え、厚みの薄い板部または厚みの厚い板部の上面を蓋体支持板部の下面に重ならせ、スペーサーを介してボード材が蓋体支持板部に支持されるように構成したことを特徴とする請求項１記載の天井点検口。
【発明の詳細な説明】
【技術分野】
【０００１】
本発明は、天井点検口に関するものである。
【背景技術】
【０００２】
従来から天井点検口には例えば特許文献１に開示されているような外枠並びに内枠の下端における折曲部の幅が小さく、下方から見た状態が目地状となる所謂目地タイプのものが知られている。
【０００３】
この特許文献１に開示されている目地タイプの天井点検口の場合、内枠の下端には外向きに小さな幅の折曲部が存在するが、内向きの折曲部は存在せず、内枠の内部に天井材と同じ材料からなる蓋体を取り付けるためにＬ型のアングルをねじ止めし、このアングルに対し蓋体を下側から当接させ、蓋体をアングルに対しねじ止めしている。
【０００４】
さらに詳しくは、この特許文献１に開示されている天井点検口は、先に施工された天井材に点検口用の開口部を形成し、この開口部に外枠を天井材の下側から嵌め込み、この外枠を天井材上方の取り付け部材にハンガーを用いて取り付けるようにしている。つまり、この特許文献１に開示されている天井点検口は、先に施工された天井材に対し外枠を嵌め込んで外枠を天井材よりも後付けするようにしたものであり、この外枠を後付けするために外枠の立ち上がり板部は下端から上端に亘ってストレートになっている。そして、この外枠を天井材上方の取り付け部材にハンガーを用いて取り付けるために外枠の立ち上がり板部の上端には内枠側に向って直角に折れ曲がる吊り下げ板部が連設されている。このように外枠の立ち上がり板部の上端には内枠側に向って直角に折れ曲がる吊り下げ板部が連設されているので、内枠は上端が外枠の吊り下げ板部に当接しないように外枠の立ち上がり板部との間に空間が空くような形状としなければならない。
【０００５】
特許文献１に開示されている天井点検口は、上記のように外枠を後付けするようにした天井点検口であって、内枠の内部に蓋体を取り付けるためにＬ型のアングルを取り付けたものである。
【特許文献１】特開平１０−２４５９７４号公報
【発明の開示】
【発明が解決しようとする課題】
【０００６】
上記した特許文献１に記載の天井点検口の構成では、天井材よりも外枠を後付けするようにした天井点検口において、内枠に対し蓋体を取り付けるためのＬ型のアングルが必要であること、内枠にアングルを取り付けるためのねじ挿通孔を形成する必要があること、内枠にアングルを取り付けるためのねじが必要であることなどにより、部品点数が多くなり、アングルを内枠に取り付ける手間がかかり、コストアップになるという問題があった。
【０００７】
本発明の目的は、このような課題を解決するものであり、天井材よりも外枠を後付けするようにした天井点検口において、内枠に対し蓋体を取り付けるためにＬ型のアングルを用意する必要がなく、そしてアングルを内枠に取り付ける手間も不要となり、構成簡単でコストダウンを図ることができる天井点検口を提供することにある。
【課題を解決するための手段】
【０００８】
本発明の請求項１に記載の天井点検口は、天井材の開口部に嵌められて建物側に固定される外枠と、この外枠の内部空間を開閉する内枠とを備え、天井材よりも外枠を後付けするようにした天井点検口において、内枠の立ち上がり板部にボード材からなる蓋体を取り付けるために外枠とは逆方向に水平に延びるように蓋体支持板部が一体に連設されてなり、内枠の下方より蓋体を構成するボード材を嵌め込んでボード材を前記蓋体支持板部に支持するように構成したことを特徴とする。
【０００９】
請求項２に記載の天井点検口は、厚みの薄い板部と厚みの厚い板部とを下面がフラットな面一状となるように連設して作られてなるスペーサーを備え、厚みの薄い板部または厚みの厚い板部の上面を蓋体支持板部の下面に重ならせ、スペーサーを介してボード材が蓋体支持板部に支持されるように構成したことを特徴とする。
【発明の効果】
【００１０】
以上のように、本発明の天井点検口は、天井材よりも外枠を後付けするようにした天井点検口において、内枠に蓋体支持板部が一体に設けられているので、内枠に対し蓋体を取り付けるためにＬ型のアングルを用意する必要がなく、蓋体支持板部で内枠に対し蓋体を取り付けることができ、その結果アングルを内枠に取り付ける手間も不要となり、構成簡単でコストダウンを図ることができる天井点検口を提供することができる。
【発明を実施するための最良の形態】
【００１１】
以下、本発明の実施の形態を、図面に基づき具体的に説明する。
先ず、図１〜図４に示す第１の実施の形態について説明すると、１は天井下地材２と、この天井下地材２に接着あるいはビス止めされた天井仕上げ材３とから構成された天井材４の開口部４ａに嵌められて建物側に固定される外枠で、この外枠１はアルミニウム製の型材を方形に組み立てられてなり、この外枠１の内部空間を開閉するように内枠５が設けられている。この内枠５もアルミニウム製の型材を方形に組み立てられてなるものである。
【００１２】
前記外枠１を構成する型材は下端から上端に亘ってストレートな立ち上がり板部６と、この立ち上がり板部６の下端に連設され開口部４ａの縁の天井材４に下から当接するように内枠５に対し逆方向に狭い幅で水平に折れ曲がる折曲片７と、立ち上がり板部６の上端に連設され内枠５側に向って水平に折れ曲がる吊り下げ板部８とを備えている。前記折曲片７は開口部４ａを切除形成する際に生じる加工むらを隠すに必要なだけの狭幅δ１に形成されている。
【００１３】
前記内枠５を構成する型材は外枠１の立ち上がり板部６の下端より高さ方向の約３分の１程度の長さ範囲で外枠１に近接して沿う下側立ち上がり板部９と、この下側立ち上がり板部９の下端に連設され外枠１側に向って僅かに膨らむように突出する突出部１０と、下側立ち上がり板部９の上端に連設され外枠１から離れる方向にほぼ水平に折れ曲がる連結板部１１と、この連結板部１１の先端から外枠１の立ち上がり板部６と平行に立ち上がるように連設された上側立ち上がり板部１２と、この上側立ち上がり板部１２の下端、つまり前記連結板部１１の先端から外枠１とは逆方向に水平に延びるように連設された蓋体支持板部１３とを備えている。さらに詳しくは、蓋体支持板部１３は内枠５に一体に設けられており、蓋体（詳細は後述する）の外周部を支持する範囲４辺で形成されている。
【００１４】
ところで、前記天井材４は野縁受け１４の下側に取り付けられた野縁材１５に支持されている。
そして、野縁受け１４と、天井材４に形成した開口部４ａの内周端面に組み込まれ天井材４よりも後付けされる外枠１とを固定手段１６で着脱自在に固定するものである。
【００１５】
この固定手段１６は、外枠１取り付け位置の上方で野縁受け１４に直角な方向に亘された断面形状がほぼＣ型の取り付け部材１７と、この取り付け部材１７と外枠１の上端の吊り下げ板部８との間に取り付けてＬ字形に折曲した棒状のハンガー１８を備え、図４に示すように、このハンガー１８は、外枠１の吊り下げ板部８に形成された係止孔１９に挿入係止される係止部２０を下端に備えている。
【００１６】
また、ハンガー１８の上下方向ほぼ全長に亘って雄ねじが形成され、ハンガー１８の途中には取り付け部材１７の上面１７ａおよび下面１７ｂに重ね合って嵌合する一対のコ字形固定板２１，２１が挿通されるとともに、この一対のコ字形固定板２１，２１を上下から挟むようにハンガー１８の雄ねじ部１８ａに２つの蝶ねじ２２，２３が螺合され、この蝶ねじ２２，２３を締め付けることにより、各コ字形固定板２１，２１を取り付け部材１７に対して圧着させることができ、ハンガー１８が野縁受け１４に取り付けられるものである。
【００１７】
前記内枠５で囲まれる空間内には前記天井材４の天井下地材２と同様の上側ボード材２４および天井仕上げ材３と同様の下側ボード材２５からなる蓋体が設けられる。図面に示す実施の形態では上側ボード材２４は前記蓋体支持板部１３の上面に重なるように載り、下側ボード材２５は内枠５の下方より嵌め込まれて蓋体支持板部１３の下面に重なり、蓋体支持板部１３の位置で上側ボード材２４の上側から下側ボード材２５にビス２６をねじ込み、且つ蓋体支持板部１３の存在しない位置で上側ボード材２４と下側ボード材２５との間に接着剤を介在させることにより上側ボード材２４と下側ボード材２５を２枚重ねの状態で蓋体支持板部１３に取り付けている。なお、下側ボード材２５はその下面が前記天井材４の天井仕上げ材３の下面に揃うように厚みが設定されている。
【００１８】
ところで、図面では示されていないが、内枠５は外枠１内に収まった水平状態と外枠１から垂れ下がる状態との間で外枠１に対し回動自在となっており、また内枠５を外枠１内に収まった水平状態で保持するロック機構が設けられている。
【００１９】
次に、図５〜図１０に示す第２〜第６の実施の形態に基づき、内枠５に対する蓋体の支持の変形例を説明する。
図５に示す第２の実施の形態は、前記第１の実施の形態における上側ボード材２４を設けずに前記蓋体支持板部１３の下面に重なるように下側ボード材２５を設け、この下側ボード材２５を蓋体支持板部１３に対し下側からビス２６をねじ込むことにより取り付けている。
【００２０】
図７に示す第３の実施の形態は、前記第１の実施の形態の上側ボード材２４や下側ボード材２５よりも厚みの薄い上側ボード材２４Ａおよび下側ボード材２５Ａを用いるとともに、上側ボード材２４Ａと下側ボード材２５Ａとの間に介在させる樹脂製のスペーサー２７を用いるものである。
【００２１】
スペーサー２７は図６（Ａ），（Ｂ）に示すように、厚みの薄い板部２７ａと厚みの厚い板部２７ｂとを下面がフラットな面一状となるように連設して作られており、それぞれの板部２７ａ，２７ｂの中央部にビス孔２７ａ’，２７ｂ’が形成されている。
【００２２】
そして、このスペーサー２７の厚みの薄い板部２７ａの上面を蓋体支持板部１３の下面に重なるように位置させるとともに厚みの厚い板部２７ｂを蓋体支持板部１３の先端から上方に臨ませ、蓋体支持板部１３から上方に突出する厚みの厚い板部２７ｂの上に上側ボード材２４Ａを載せ、蓋体支持板部１３の位置でスペーサー２７の下側から上側ボード材２４Ａにビス２６をねじ込むことによりスペーサー２７と上側ボード材２４Ａを蓋体支持板部１３に取り付け、スペーサー２７の下面に下側ボード材２５Ａを重ねて接着剤により固定している。つまり、上側ボード材２４Ａと下側ボード材２５Ａでスペーサー２７と蓋体支持板部１３を挟んだ状態で上側ボード材２４Ａおよび下側ボード材２５Ａが支持されるものである。
【００２３】
図８に示す第４の実施の形態は、前記第３の実施の形態における上側ボード材２４Ａを設けずに前記蓋体支持板部１３の下面に重なるように下側ボード材２５Ａを設け、この下側ボード材２５Ａを蓋体支持板部１３に対し下側からビス２６をねじ込むことにより取り付けている。
【００２４】
図９に示す第５の実施の形態は、前記第３の実施の形態の上側ボード材２４Ａや下側ボード材２５Ａよりも厚みの薄い上側ボード材２４Ｂおよび下側ボード材２５Ｂを用いるとともに、上側ボード材２４Ｂと下側ボード材２５Ｂとの間に介在させるスペーサー２７の厚みの厚い板部２７ｂの上面を蓋体支持板部１３の下面に重なるように位置させ、蓋体支持板部１３の上に上側ボード材２４Ｂを載せ、蓋体支持板部１３の位置でスペーサー２７の下側から上側ボード材２４Ｂにビス２６をねじ込むことによりスペーサー２７と上側ボード材２４Ｂを蓋体支持板部１３に取り付け、スペーサー２７の下面に下側ボード材２５Ｂを重ねて接着剤により固定している。この場合も、上側ボード材２４Ｂと下側ボード材２５Ｂでスペーサー２７と蓋体支持板部１３を挟んだ状態で上側ボード材２４Ｂおよび下側ボード材２５Ｂが支持されるものである。
【００２５】
図１０に示す第６の実施の形態は、前記第５の実施の形態における上側ボード材２４Ｂを設けずに前記蓋体支持板部１３の下面に重なるように下側ボード材２５Ｂを設け、この下側ボード材２５Ｂを蓋体支持板部１３に対し下側からビス２６をねじ込むことにより取り付けている。
【００２６】
ところで、スペーサー２７を用いる第３〜第６の実施の形態において、スペーサー２７は前記蓋体の外周部を支持する範囲４辺に位置する４枚の各蓋体支持板部１３に対し少なくとも２箇所づつ用いられる。
【００２７】
なお、上記実施の形態の天井点検口は、外枠１の立ち上がり板部６の下端には狭い幅で水平に折れ曲がる折曲片７が存在し、内枠５の下側立ち上がり板部９の下端に連設され外枠１側に向って僅かに膨らむ突出部１０が存在するので、これが目地のように観察されるため、美観を向上させることができる。
【図面の簡単な説明】
【００２８】
【図１】本発明の第１の実施の形態における天井点検口の断面図である。
【図２】同外枠の要部拡大斜視図である。
【図３】同内枠の要部拡大斜視図である。
【図４】図１の要部拡大断面図である。
【図５】本発明の第２の実施の形態における内枠と蓋体との関係を示す拡大断面図である。
【図６】（Ａ）は本発明で使用されるスペーサーの一例を示す側面図，（Ｂ）は同スペーサーの一例を示す平面図である。
【図７】本発明の第３の実施の形態における内枠と蓋体との関係を示す拡大断面図である。
【図８】本発明の第４の実施の形態における内枠と蓋体との関係を示す拡大断面図である。
【図９】本発明の第５の実施の形態における内枠と蓋体との関係を示す拡大断面図である。
【図１０】本発明の第６の実施の形態における内枠と蓋体との関係を示す拡大断面図である。
【符号の説明】
【００２９】
１                    外枠
２                    天井下地材
３                    天井仕上げ材
４                    天井材
４ａ                  開口部
５                    内枠
６                    立ち上がり板部
７                    折曲片
８                    吊り下げ板部
９                    下側立ち上がり板部
１０                    突出部
１１                    連結板部
１２                    上側立ち上がり板部
１３                    蓋体支持板部
１４                    野縁受け
１５                    野縁材
１６                    固定手段
１７                    取り付け部材
１７ａ                  上面
１７ｂ                  下面
１８                    ハンガー
１８ａ                  雄ねじ部
１９                    係止孔
２０                    係止部
２１                    コ字形固定板
２２，２３              蝶ねじ
２４，２４Ａ，２４Ｂ    上側ボード材
２５，２５Ａ，２５Ｂ    下側ボード材
２６                    ビス
２７                    スペーサー
２７ａ                  厚みの薄い板部
２７ｂ                  厚みの厚い板部
２７ａ’，２７ｂ’      ビス孔
【図１】
2009249957.tif 000003
【図２】
2009249957.tif 000004
【図３】
2009249957.tif 000005
【図４】
2009249957.tif 000006
【図５】
2009249957.tif 000007
【図６】
2009249957.tif 000008
【図７】
2009249957.tif 000009
【図８】
2009249957.tif 000010
【図９】
2009249957.tif 000011
【図１０】
2009249957.tif 000012